(57)【要約】      （修正有）【課題】監視対象への関心の状態に応じた監視を行う。【解決手段】現在の状態とセンサ信号とに基づいて、監視対象の監視情報を取得するときの詳細度を設定し、同一のセンサ信号に対して、複数の状態に応じて異なる詳細度を設定できるようにする。詳細度として画像の解像度、フレームレート等を変更する。【選択図】図１
2005065238.tif 000002
【特許請求の範囲】
【請求項１】
現在の状態とセンサ信号とに基づいて、監視対象の監視情報を取得するときの詳細度を設定する手段を備え、
同一のセンサ信号に対して、複数の状態に応じて異なる詳細度を設定できる監視情報提供装置。
【請求項２】
複数の状態の各々について設定される、センサ信号と重要度との関係の中から、現在の状態に応じた前記関係を選択する選択手段と、
センサからのセンサ信号と、前記選択手段によって選択された前記関係とから、重要度を判定する重要度判定手段と、
前記重要度判定手段で判定された前記重要度に基づいて、監視対象の監視情報を取得する時の詳細度を設定する詳細度設定手段と、
を備える監視情報提供装置。
【請求項３】
請求項１または請求項２において、さらに、前記監視対象の前記監視情報を取得し、かつ前記詳細度設定手段で設定された前記詳細度に基づいて前記監視情報を変更して出力することができる監視情報取得出力手段を備える監視情報提供手段。
【請求項４】
請求項１または請求項２において、さらに、前記現在の状態を判定する状態判定手段を備える監視情報提供装置。
【請求項５】
請求項４において、前記状態判定手段は、時刻に基づいて、前記現在の状態を判定する監視情報提供装置。
【請求項６】
請求項４において、前記状態判定手段は、前記センサからのセンサ信号に基づいて、前記現在の状態を判定する監視情報提供装置。
【請求項７】
請求項４において、前記状態判定手段は、監視員による監視対象の監視の有無に基づいて、現在の状態を判定する監視情報提供装置。
【請求項８】
請求項３において、前記監視情報取得出力手段は、撮像条件変更機能付きの撮像装置であり、前記詳細度設定手段で設定された詳細度に基づいて、撮像条件を変更して撮像する監視情報提供装置。
【請求項９】
請求項８において、前記撮像装置における前記撮像条件は、解像度，フレームレート，画質のいずれかまたは組合せである監視情報提供装置。
【請求項１０】
センサ信号に応じて監視情報の詳細度を変更して、前記監視情報を表示し、
現在の状態に応じて、同じセンサ信号に対する前記詳細度を変更する監視情報提供方法。
【請求項１１】
現在の状態およびセンサ信号に応じて詳細度を設定するステップと、
設定された詳細度で監視情報を取得するステップと、
取得された監視情報を表示または記録するステップと、
を含む監視情報提供方法。
【請求項１２】
監視対象側において、現在の状態に応じたセンサ信号と重要度との関係に基づいて、監視対象の監視情報を取得する時の詳細度を設定するために、
前記監視対象側とは地理的に異なる位置に在るセンタ側において、前記関係を管理する監視情報提供方法。
【発明の詳細な説明】
【技術分野】
【０００１】
本発明は、セキュリティ監視や設備監視などに用いられる監視情報提供装置および監視情報提供方法に関する。
【背景技術】
【０００２】
セキュリティ監視や駅務機器等の設備監視の分野では、設備が存在する現場の状況を複数の監視カメラにより撮影し、現場と離れた監視センタにおいて、必要な映像を随時切り換えて表示する映像監視が行われている。
【０００３】
監視カメラ等の映像用途機器の低価格化に伴い、現場に設置される監視カメラの台数は年々増加している。数十台の監視カメラが設置されるような大規模施設では、少数のオペレータが多数のカメラ映像を効率的に監視できる工夫がなされている。例えば、カメラが撮影する物体に対応して設けられたセンサの重要度に応じて各々の映像の大きさを変化させて、監視員に映像の重要度を認識させている。しかしながら、予めオペレータが監視対象である被写体の位置や重要度を考慮して表示レイアウトを考え、対話的に定義すると言う煩雑な作業が必要になる。これに対し、映像に含まれる被写体自身に重要度を設定して、その重要度に応じて、レイアウト等を自動的に決定して映像を表示する技術が有る（例えば、特許文献１参照）。
【０００４】
【特許文献１】特開２００１−３４２５０号公報
【発明の開示】
【発明が解決しようとする課題】
【０００５】
従来技術では、ユーザにとっては、監視対象への関心の度合いが異なる場合に、監視情報を変更させて監視を行うことが困難である。例えば、営業時間内の通常状態では、設備機器の保守・点検作業を行い、営業時間外の監視状態では、セキュリティを重視した監視をするようなことが困難である。
【課題を解決するための手段】
【０００６】
上記課題を解決するために、本発明による監視情報提供装置および監視情報提供方法においては、複数のセンサ信号に対して異なった詳細度で監視情報を取得し、かつ同じセンサ信号に対して、状態すなわち監視対象への関心の状態が異なれば、異なった詳細度で監視情報を取得できるようにする。
【発明の効果】
【０００７】
これにより、異なる監視対象への関心の度合いに応じて、例えば監視映像の画質を変化させるように、監視情報を変更させた監視を行うことができる。
【０００８】
監視情報は、好ましくは、監視カメラのような撮像装置で撮像条件を変更できるものによって取得する。なお、撮像装置による映像のみならず、各種監視情報を取得するための監視情報取得出力手段を用いることができる。
【０００９】
本発明の特徴は、以下の説明及び図面の記載から明らかになるであろう。
【発明を実施するための最良の形態】
【００１０】
図１は、本発明の第一の実施形態における駅務機器遠隔監視システムの機能構成図を示す。本システムは、時刻に基づき、通常状態や監視状態等の現在の状態を、すなわち監視対象への関心の状態を判定して、同じセンサ信号入力に対しても、その状態に応じ、映像の解像度，フレームレートや画質等を変えて表示することができるシステムである。
【００１１】
解像度は、画像の情報量を表す基準である。解像度では、画像の情報量をピクセルという単位で表す。ピクセルとは、画像を構成する点（ドット）のことで、画像データはこの点の集まりで表現される。ピクセルの数は、８００×６００，１０２４×７６８など、その画像の持つ縦横のドット数で表される。このドット数が多いほど、画像を構成する情報量が多いことになる。
【００１２】
フレームレートは、画像の表示において、１秒間に何回画面が更新されるかを表す値である。動画表示時の画面の更新速度としても用いられる。例えば、１秒間に１５回更新される場合は、１５フレーム／秒と表される。
【００１３】
画質とは、画像の圧縮による相対的な品質の指標である。例えば、最低品質すなわち最高圧縮率を示す１から、最高品質すなわち最小圧縮率を示す１００の間の値を取る。
【００１４】
図１の駅務機器遠隔監視システムは、各駅の各種駅務機器、例えば券売機，精算機や自動改札機等の近傍に設置された駅業務監視のための監視カメラ１と、各種駅務機器の故障や異常等を検知する各種センサ２と、現在の状態に応じた重要度を判定するための基準データとなる重要度判定テーブルセット３と、重要度判定テーブルセット３の内容を入力する重要度判定テーブルセット入力手段４と、を備える。さらに、本システムは、時刻を取得するタイマ５と、タイマ５で得られた時刻および重要度判定テーブルセット３に基づいて、現状のシステムの状態に対応した重要度を判定するためのテーブルを選択する重要度判定テーブル選択手段６と、重要度判定テーブル選択手段６で得られた重要度判定テーブルと各種センサ２からの情報に基づいて、重要度を判定する重要度判定手段７と、を備える。また、本システムは、重要度判定手段７で得られた重要度に基づいて、解像度やフレームレート等の映像情報の詳細度を設定する詳細度設定手段８と、詳細度設定手段８で設定した詳細度に基づいて撮影された映像情報を表示する表示手段９を備える。
【００１５】
図１のシステムにおけるデータ処理のフローチャートを図２に示す。まず、ステップ
２０１で、使用する各種データを初期化する。この初期化はシステム立上げ時に行う。ここでは、主に、テーブルが設定または更新される。初期化される各テーブルの構成については、後述する各々のステップにおいて説明する。次に、ステップ２０２では、現在の状態に応じた重要度判定テーブルを選択する。そして、ステップ２０３において、センサからのセンサ信号とステップ２０２で選択した重要度判定テーブルとに基づいて、現在の状態に応じた重要度を判定する。ステップ２０４では、ステップ２０３で得られた重要度に基づいて、映像の詳細度を設定する。さらに、ステップ２０５では、ステップ２０４で得られた詳細度に基づいて、監視カメラ１の映像を取得する。そして、ステップ２０６において、詳細度に基づいて得られた映像等を表示手段９に表示する。設定された詳細度による映像の取得および表示は、一定時間あるいはリセットされるまで継続することができる。さらに、ステップ２０７で、映像表示を中止する指示があるかどうかを判断する。判断の結果、表示中止の指示がある場合は、映像表示を終了する。逆に、中止の指示がない場合は、ステップ２０２に戻って、映像の表示を繰り返す。
【００１６】
以下では、図１のシステムの動作について、図２のフローチャートにしたがい、詳細に説明する。
【００１７】
まず、タイマ５で得られる時刻に基づいて、重要度判定テーブルを選択するステップ
２０２について説明する。この重要度判定テーブルの選択処理は、図１の重要度判定テーブル選択手段６において行われる。
【００１８】
図３に重要度判定テーブル選択手段６の制御ブロック図を示す。重要度判定テーブル選択手段６は、現在の状態を判定するための基準となる状態判定テーブル３０１と、タイマ５で得られた時刻および状態判定テーブル３０１とから現在の状態を判定する状態判定部３０２を備える。さらに、重要度判定テーブル選択手段６は、センサ信号と重要度とを関係付ける重要度判定テーブルを複数の状態に応じて複数有する重要度判定テーブルセット３と、状態判定部３０２で得られた現在の状態および重要度判定テーブルセット３に基づいて、現在の状態に応じた重要度判定テーブルを選択する重要度判定テーブル選択部303を備える。
【００１９】
図４に重要度判定テーブル選択の動作を表すフローチャートを示す。まず、ステップ
４０１では、タイマ５から時刻ｔを取得する。次のステップ４０２では、ステップ４０１で得られた時刻ｔおよび状態判定テーブルに基づいて、現在の状態を判定する。
【００２０】
状態判定テーブルの例を図５に示す。時刻と監視対象への関心の状態との対応関係を示す状態判定テーブル３０１は、時刻および状態を対にしたデータの列で表すことができる。また、図６に、状態判定部３０２の動作概念図を示す。状態判定部３０２は、ステップ４０１で得られた時刻を入力として、状態判定テーブル３０１を参照して、現在の状態としてＡまたはＢを出力する。例えば、Ａは、駅の営業時間外の時間帯において監視対象
（例えば改札口周辺）への関心の状態が、主にセキュリティを重視する監視状態であることを示す。他方、Ｂは、駅の営業時間帯において同じ監視対象への関心の状態が、自動改札口などの設備の保守を重視する通常状態であることを示す。図６の例では、時刻５：
００を入力として、状態判定テーブル３０１を参照することにより、状態Ａを出力している。この例では、状態の境界を分単位で設定しているが、状況に応じて、時間単位または秒単位で設定しても良い。
【００２１】
そして、ステップ４０３では、ステップ４０２で得られた状態および重要度判定テーブルセット３に基づいて、現在の状態に応じた重要度判定テーブルを選択する。この重要度判定テーブルの選択処理は、図３の重要度判定テーブル選択部３０３で行われる。
【００２２】
図７に、重要度判定テーブル７０１の構成を示す。センサ信号と重要度の対応関係を示す重要度判定テーブル７０１は、センサ信号と、そのセンサ信号に対応した重要度を対にしたデータの列である。また、図８に、重要度判定テーブルセット３の構成を示す。重要度判定テーブルセット３は、複数の状態の各状態毎の重要度判定テーブル８０２，８０３，…の集合である。
【００２３】
重要度判定テーブルと重要度判定テーブルセットの関係を概念的に示したのが図９である。重要度判定テーブル選択部３０３では、状態判定部３０２で得られた状態を入力として、重要度判定テーブルセット３を参照することで、重要度判定テーブルを選択する。図９の例では、入力信号は、状態Ａであるので、重要度判定テーブルセット３から状態Ａの重要度判定テーブル８０２が選択される。
【００２４】
以上のステップ４０１からステップ４０３（図４）により、重要度判定テーブル選択手段６では、タイマ５から得られた時刻ｔおよび重要度判定テーブルセット３から、現在の状態に応じた重要度判定テーブルを選択することができる。
【００２５】
なお、図１の重要度判定テーブルセット入力手段４では、重要度判定テーブルセット３の内容を入力することができる。重要度判定テーブルセット入力手段４の実現方法としては、キーボードやマウス等から直接入力する方法や、予め作成したファイルを転送する方法が有る。
【００２６】
次に、図２のステップ２０３でのセンサ信号に基づく重要度の判定処理について説明する。この重要度判定手段７では、重要度判定テーブル選択手段６で選択した重要度判定テーブルおよびセンサ２から得られたセンサ信号に基づいて、重要度を判定する。
【００２７】
図１０に、重要度判定手段７の動作概念図を示す。重要度判定手段７は、重要度判定テーブル選択手段６で選択した重要度判定テーブル８０２を入力とし、センサ２からの信号に基づいて重要度を求める。
【００２８】
例えば、図１０の場合は、重要度判定手段７は、重要度判定テーブル８０２を入力として、券づまりのセンサ信号に対しては、重要度「９５」を出力する。
【００２９】
以上により、センサから得られる信号およびステップ２０２で得られた重要度判定テーブルに基づいて、センサ信号に応じた重要度を判定することができる。
【００３０】
次に、図２のステップ２０４での映像情報の詳細度設定手段８での処理について説明する。図１１に、映像情報の詳細度設定手段８の制御ブロック構成図を示す。映像情報の詳細度設定手段８は、重要度に応じて、解像度やフレームレートが設定されている詳細度判定テーブル１１０１と、その詳細度判定テーブル１１０１およびステップ２０３で得られた重要度に基づいて映像情報の詳細度を選択する詳細度選択部１１０２を有する。詳細度設定手段８は、重要度判定手段７で得られた重要度を入力として、詳細度判定テーブル
１１０１を参照して、詳細度を出力する。
【００３１】
詳細度判定テーブル１１０１の例を図１２に示す。詳細度判定テーブル１１０１は、重要度および詳細度の組で表せるデータの列である。さらに、詳細度は、解像度，フレームレートや画質等の組合わせから成るデータである。なお、詳細度は、解像度，フレームレート，画質の内の単独のデータでも良いし、任意の組合せでも良い。
【００３２】
詳細度設定手段８での動作を示す概念図を図１３に示す。詳細度設定手段８においては、重要度判定手段７で得られた重要度「９５」を入力として、詳細度選択部１１０２において、詳細度判定テーブル１１０１を参照することで、詳細度１３０１（解像度３２０×２４０，フレームレート３０フレーム／秒，高画質）が得られる。
【００３３】
以上により、映像情報の詳細度設定手段８では、ステップ２０３で得られた重要度に応じた映像情報の詳細度を設定することができる。
【００３４】
次に、図２のステップ２０５での映像情報の取得処理について説明する。この処理は、監視カメラ１の制御パラメータである解像度，フレームレートや画質等の設定値が、先のステップ２０４で求めた映像情報の詳細度に設定される。図１４に、監視カメラ１の詳細度に基づく制御のフローチャートを示す。
【００３５】
まず、ステップ１４０１では、ステップ２０４で求めた映像情報の詳細度を取得する。次に、ステップ１４０２では、現在の監視カメラ１の詳細度である各制御パラメータの設定値を読み込む。そして、ステップ１４０３において、ステップ１４０１で取得した新解像度とステップ１４０２で取得した現解像度の値を比較する。値が一致しない場合は、監視カメラ１の解像度を新解像度に変更し（ステップ１４０４）、新解像度の値を登録する（ステップ１４０５）。値が一致する場合は、次のステップ１４０６へと進む。
【００３６】
同様に、ステップ１４０６では、フレームレートの値に関して比較し、ステップ1409では、画質に関して比較する。いずれの場合も、値が一致しない場合は監視カメラ１のフレームレートまたは画質の値を更新する（ステップ１４０７およびステップ１４０８，ステップ１４１０およびステップ１４１１）。値が一致する場合は、次のステップ（ステップ１４０９もしくは終了）へと進む。
【００３７】
以上のステップ１４０１からステップ１４１１により、映像情報の詳細度に基づいた監視カメラ１の映像を取得することができる。
【００３８】
次に、図２のステップ２０６での映像情報の表示について説明する。この処理は、図１の表示手段９で行われる。
【００３９】
表示手段９での表示画面の一例を、図１５に示す。図１５の例では、駅構内に設置した監視カメラで自動改札機１５０１の周辺を撮影しており、天井に設置した人感センサ1502により人間の有無を検知している。また、営業時間内（０６：００〜２１：５９）は、通常状態（状態Ｂ）とし、営業時間外（０：００〜０５：５９および２２：００〜２３：
５９）は、監視状態（状態Ａ）とする。
【００４０】
このとき、通常状態においては、自動改札機１５０１の周辺には数多くの乗客１５０５が往来する。したがって、人感センサ１５０２が反応することになり、また、検知した人間は乗客である。ここで、通常状態（状態Ｂ）の重要度判定テーブルにおいては、人感センサの反応有無に対して、共に重要度が５０に設定されている。したがって、人感センサの反応の有無に関わらず、図１２の詳細度判定テーブルにおける詳細度すなわちフレームレート「１５（ｆ／ｓ）」，画質「中」が選択される。すなわち、監視カメラの映像は、フレームレートや画質等の映像情報の詳細度を変更することはない。
【００４１】
一方、監視状態（状態Ａ）においては、自動改札機１５０１の周辺には人間が存在しないことが前提となる。このような状態で、人感センサ１５０２が反応した場合は、検知した人間は不審者１５０６と考えられる。ここで、状態Ａの重要度判定テーブルにおいては、人感センサの反応の有無に対してそれぞれ重要度「１００」，「５０」が設定されている。したがって、人感センサの反応無の場合は、図１２の詳細度判定テーブルにおいて、フレームレート「１５（ｆ／ｓ）」，画質「中」が選択される。他方、人感センサが反応すると、重要度１００に対応するフレームレート「３０（ｆ／ｓ）」，画質「高」が選択される。このため、フレームレートの向上や高画質にする等の詳細度を上げた映像情報を表示することで、監視を強化することができる。
【００４２】
以上により、第一の実施形態では、時刻によりシステムの通常状態や監視状態等を区別し、そのシステム状態に応じて、同じセンサ入力に対しても映像の解像度，フレームレートや画質等を変更して表示することができ、セキュリティを向上させることができる。また、営業時間内では、設備機器の保守・点検作業を行い、営業時間外では、セキュリティを重視した監視という具合に、時間に応じた監視を行うことができるようになる。
【００４３】
図１６は、本発明の第二の実施形態における駅務機器遠隔監視システムの機能構成図を示している。本実施形態では、センサ信号により通常状態や監視状態等を判定している点が第一の実施形態と異なる。すなわち、図１６のシステムは、各種センサ２および重要度判定テーブルセット３に基づいて、現在の状態に対応した重要度を判定するためのテーブルを選択する重要度判定テーブル選択手段１６０１を備えている。他の構成は、図１のシステムと同様である。また、データ処理のフローも、図２と同様である。
【００４４】
重要度判定テーブル選択手段１６０１の構成および動作は、第１の実施形態（図３，図４）とほぼ同様であるが、状態判定部には時刻の代わりにセンサ信号が入力され、時刻を取得する代わりにセンサ信号を取得する。
【００４５】
図１６のシステムにおける状態判定テーブルおよび状態判定部の動作概念図を図１７に示す。状態判定テーブル１８０１は、防災関連のセンサ信号（煙センサ，火災センサ，非常ボタン等）と、監視対象への関心の状態（通常状態Ａ，緊急状態Ｂ）とを対にしたデータの列で表す。ここで、状態Ａは、監視対象（例えば、火器を備え付けている場所）への関心の状態が、設備点検を重視する通常状態である。他方、状態Ｂは、同じ監視対象への関心の状態が、出火点の発見，消火や避難の判断などの防災を重視する緊急状態である。状態判定部１８０２は、防災関連のセンサ信号を入力として、状態判定テーブル１８０１を参照して、状態ＡまたはＢを出力する。図１７では、火災センサ信号を入力として、状態判定テーブル１８０１を参照することにより、状態Ｂ（緊急状態）を出力している。
【００４６】
以上により、第二の実施形態では、火災センサや煙センサ等のセンサ信号により通常状態や緊急状態等を区別し、その状態に応じて、同じセンサ入力に対しても映像の解像度，フレームレートや画質等を変更して表示することができ、セキュリティを向上させることができる。
【００４７】
図１８は、本発明の第三の実施形態における駅務機器遠隔監視システムの機能構成図を示している。本実施形態は、監視対象への関心の状態の判定方法として、監視員が、モニタ等により監視対象を確認しているかどうかを用いている点が、第一の実施形態とは異なる。すなわち、図１８のシステムは、監視員が監視対象を監視しているかどうかを判定する監視有無判定手段２２０１と、監視有無判定手段２２０１からの判定信号および重要度判定テーブルセット３に基づいて、現在の状態に対応した重要度を判定するためのテーブルを選択する重要度判定テーブル選択手段２２０２と、を備える。他の構成は図１のシステムと同様である。また、データの処理フローも図２と同様である。
【００４８】
重要度判定テーブル選択手段２２０２の構成および動作は第一の実施形態(図３，図４)とほぼ同様であるが、状態判定部には時刻の代わりに監視有無確認信号が入力され、時刻を取得する代わりに監視有無判定手段２２０１から状態パラメータである監視有無判定信号を取得する。監視有無判定手段２２０１は、監視員のスイッチ操作などで実現することができる。また、監視有無判定手段２２０１の別の実現方法としては、監視員からキー入力で判定することも考えられる。例えば、図１９に示すように、監視員が監視している端末２６０１に、一定周期もしくはランダムで、コード２６０２(数字列もしくは文字列等)を表示して、コード一致判定部２６０３において、監視員が入力したコード２６０４と一致するかどうかを判定することで、監視有無を判定する。
【００４９】
図１９のシステムにおける状態判定テーブルおよび状態判定部の動作概念図を図２０に示す。状態判定テーブル２４０１は、監視有無と状態とを対にしたデータの列で表す。ここで、状態Ａは、監視状態であり、監視員が監視対象に注意しており、監視対象への関心の度合いが高い状態である。他方、状態Ｂは、非監視状態であり、監視員の注意が注がれておらず、監視対象への関心の度合いが低い状態である。状態判定部２４０２は、監視有無判定信号を入力として、状態判定テーブル２４０１を参照して、状態ＡまたはＢを出力する。図２０の例では、監視有無判定信号が「監視有り」を入力として、状態判定テーブル２４０１を参照することにより、状態Ａ（監視状態）を出力している。
【００５０】
以上により、第三の実施形態では、監視員が監視対象を確認しているかどうかを判断することにより、監視状態や非監視状態等を区別している。そして、その状態に応じて、同じセンサ入力に対しても映像の解像度，フレームレートや画質等を変更して表示することができ、セキュリティを向上させることができる。
【００５１】
第四の実施形態である駅務機器遠隔監視システムのシステム構成図を図２１に示す。図２１の駅務機器遠隔監視システムは、重要度判定テーブルを入力設定するデータセンタ
２９０１と、複数の監視対象（サイト１（２９０２），…，サイトｎ（２９０３））と、複数の監視対象から送られてくる映像を監視する監視センタ２９０４と、これらを接続する公衆回線等のネットワーク２９０５とから構成される。データセンタ，各サイト，監視センタは互いに地理的に異なる位置に在る。例えば、各サイトは、監視サービスを受けるユーザの建物の中または付近に在り、データセンタおよび監視センタは監視サービス提供者の建物内に在る。
【００５２】
さらに、データセンタ２９０１の側では、現在の状態に応じた重要度を判定するための基準データとなる重要度判定テーブルセット３と、重要度判定テーブルセット３の内容を入力する重要度判定テーブルセット入力手段４と、ネットワーク２９０５を介して、重要度判定テーブルセット３の情報を送受信する送受信手段２９０６とを備える。また、各監視対象のサイト２９０２，２９０３の側では、各種駅務機器の近傍に設置された駅業務監視のための監視カメラ１と、各種駅務機器の故障や異常等を検知する各種センサ２と、時刻を取得するタイマ５と、タイマ５で得られた時刻およびデータセンタ２９０１で設定された重要度判定テーブルセットに基づいて、現在の状態に対応した重要度を判定するための重要度判定テーブルを選択する重要度判定テーブル選択手段６と、重要度判定テーブル選択手段６で得られた重要度判定テーブルと各種センサ２からの情報に基づいて、重要度を判定する重要度判定手段７と、重要度判定手段７で得られた重要度に基づいて、解像度やフレームレート等の映像情報の詳細度を設定する詳細度設定手段８と、ネットワーク
２９０５を介して、詳細度設定手段８で設定された詳細度に基づいて撮影した監視カメラ１からの映像情報を送受信する送受信手段２９０６とを備える。監視センタ２９０４の側では、各サイト２９０２，２９０３において詳細度設定手段８で設定した詳細度に基づいて撮影された監視カメラ１からの映像情報をネットワーク２９０５を介して送受信する送受信手段２９０６と、これらの映像情報を表示する表示手段９とを備える。
【００５３】
第四の実施形態は、複数の監視対象を公衆回線等のネットワークで接続し、データセンタにおいて各監視対象で用いる重要度判定テーブルの設定や変更などを管理することで、各監視対象で重要度判定テーブルを設定または変更する繁雑な作業を軽減することができる。
【００５４】
なお、本実施形態では、各サイトの重要度判定テーブル選択手段６への入力として、タイマ５からの信号を用いたが、タイマ５の代わりに第２及び第３の実施形態で説明した各種センサ２や監視有無判定手段２２０１を用いることもできる。
【００５５】
本実施形態の動作は、図２の動作フローと同様である。ただし、各処理が、データセンタ２９０１，各サイト２９０２や２９０３および監視センタ２９０４において行われる点が異なる。具体的には、ステップ２０１の初期化処理はデータセンタ２９０１で行われ、また、ステップ２０２からステップ２０５までの処理は各サイト２９０２，２９０３で行われ、最後にステップ２０６とステップ２０７は監視センタ２９０４で行われる。
【００５６】
以上により、第四の実施形態では、複数の監視対象が存在する構成において、データセンタ２９０１にて各監視対象で用いる重要度判定テーブルを管理することにより、各監視対象で重要度判定テーブルを設定または変更するような繁雑な作業を軽減することができる。
【００５７】
また、図２２に示すように、各サイト３００１，３００２において、重要度判定テーブルセット３および重要判定テーブルセット入力手段４を含んでも良い。この場合は、データセンタ２９０１において、重要度判定テーブルの基本設定を行い、サイトに関する内容は各サイト毎に設定する。これにより、重要度判定テーブルの入力設定の煩雑さを防ぐことができ、かつ各サイト毎にきめ細かな設定が可能となる。
【００５８】
第五の実施形態として、複数の監視対象が存在する場合において、状態に応じた重要度に基づいて、詳細度が設定された監視情報の表示方法について説明する。
【００５９】
本実施形態である駅務機器遠隔監視システムの表示画面例を図２３に示す。本実施形態の駅務機器遠隔監視システムの構成は第四の実施形態と同様の構成で実現でき、また、動作フローも第四の実施形態と同様な動作となる。ただし、詳細度設定手段８での出力が、重要度判定手段７で得られた重要度に基づいて求めた詳細度だけでなく、入力である重要度も出力とする点が異なる。
【００６０】
本実施形態のように、映像情報３１０１だけでなく重要度の情報３１０２も併せて表示することで、映像情報３１０１の重要性を認識することができる。また、重要度に応じて色分けで表示することにより、同じく映像情報の重要性を認識することができる。さらに、図２３の未処理リスト３１０３に示すように、複数の映像情報を受け取った場合に、重要度によりソートして表示することで、重要性の高い映像情報に迅速に対応することができるようになる。
【００６１】
上記各実施形態では、カメラにより、監視情報を取得し出力しているが、これに限らず、監視対象の異常または故障のログ情報を取得する手段であり、詳細度設定手段で設定された詳細度に基づいて、ログ情報を変更して出力する監視情報取得出力手段を用いることができる。また、監視情報を表示する表示手段としては、映像を表示するもののみならず、数値データ，文字データ，図形データを表示するものでも良い。さらに、監視情報を表示する代わりに、監視情報を記録装置に記録しても良い。
【００６２】
上記各実施形態において、状態判定テーブル，重要度判定テーブルセット，詳細度判定テーブルは、メモリなどの記憶装置に記憶される。また、図においてフローチャートなどで表したデータ処理は、マイクロコンピュータや演算処理装置などのデータ処理装置によって処理される。なお、各テーブルのデータは適宜統合しても良い。
【００６３】
上記各実施形態では、券売機，精算機や自動改札機等の駅務機器の監視について説明したが、監視対象は、駅務機器の分野に限らず、セキュリティ監視や設備機器の監視分野等においても適用可能である。
【００６４】
本発明によれば、監視対象への関心の状態に応じて、監視情報を変更させた監視を行うことができる。
【図面の簡単な説明】
【００６５】
【図１】本発明の第一の実施形態の機能構成図。
【図２】図１のシステムにおけるデータ処理のフローチャート。
【図３】重要度判定テーブル選択手段の制御ブロック構成図。
【図４】重要度判定テーブル選択手段の動作を示すフローチャート。
【図５】状態判定テーブルの例。
【図６】状態判定部動作概念図。
【図７】重要度判定テーブルの構成。
【図８】重要度判定テーブルセットの構成。
【図９】重要度判定テーブルと重要度判定テーブルセットの関係。
【図１０】重要度判定手段の動作概念図。
【図１１】詳細度設定手段の制御ブロック構成図。
【図１２】詳細度判定テーブルの構成。
【図１３】詳細度設定手段の動作概念図。
【図１４】監視カメラの制御のフローチャート。
【図１５】表示画面の例。
【図１６】本発明の第二の実施形態の機能構成図。
【図１７】第二の実施形態における状態判定テーブルおよび状態判定部の動作概念図。
【図１８】本発明の第三の実施形態の機能構成図。
【図１９】監視有無判定手段の例。
【図２０】第三の実施形態における状態判定テーブルおよび状態判定部の動作概念図。
【図２１】本発明の第四の実施形態のシステム構成図。
【図２２】本発明の第四の実施形態の別のシステム構成図。
【図２３】本発明の第五の実施形態の表示画面例。
【符号の説明】
【００６６】
１…カメラ、２…センサ、３，８０１…重要度判定テーブルセット、４…重要度判定テーブルセット入力手段、５…タイマ、６…重要度判定テーブル選択手段、７…重要度判定手段、８…詳細度設定手段、９…表示手段、３０１…状態判定テーブル、３０２…状態判定部、７０１…重要度判定テーブル、８０２…状態Ａの重要度判定テーブル、８０３…状態Ｂの重要度判定テーブル、１１０１…詳細度判定テーブル、１１０２…詳細度選択部、１３０１…詳細度、１５０１…自動改札機、１５０２…人感センサ、１５０５…乗客、
１５０６…不審者、２２０１…監視有無判定手段、２６０１…監視端末、２９０１…データセンタ、２９０２…サイト１、２９０３…サイトｎ、２９０４…監視センタ、２９０５…ネットワーク、２９０６…送受信手段。
【図１】
2005065238.tif 000003
【図２】
2005065238.tif 000004
【図３】
2005065238.tif 000005
【図４】
2005065238.tif 000006
【図５】
2005065238.tif 000007
【図６】
2005065238.tif 000008
【図７】
2005065238.tif 000009
【図８】
2005065238.tif 000010
【図９】
2005065238.tif 000011
【図１０】
2005065238.tif 000012
【図１１】
2005065238.tif 000013
【図１２】
2005065238.tif 000014
【図１３】
2005065238.tif 000015
【図１４】
2005065238.tif 000016
【図１５】
2005065238.tif 000017
【図１６】
2005065238.tif 000018
【図１７】
2005065238.tif 000019
【図１８】
2005065238.tif 000020
【図１９】
2005065238.tif 000021
【図２０】
2005065238.tif 000022
【図２１】
2005065238.tif 000023
【図２２】
2005065238.tif 000024
【図２３】
2005065238.tif 000025